(57)【要約】【課題】カメラモジュールのような精密な電子部品であっても衝撃に強い実装を提供する。【解決手段】筐体（３）内に設けられる収納部に電子部品７０を収納する構造であって、電子部品７０を覆って保護するための、緩衝材からなる保持部材７３と、この保持部材７３よりも剛性の高い材料からなり、保持部材７３の外側に装着する中ケース７４と、を備える。そして、筐体（３）内の収納部に、電子部品７０を覆った状態の保持部材７３の外側に装着された状態の中ケース７４を収納する。【選択図】図２０
2010263521.tif 000002
【特許請求の範囲】
【請求項１】
筐体内に設けられる収納部に電子部品を収納する構造であって、
前記電子部品を覆って保護するための、緩衝材からなる保持部材と、
この保持部材よりも剛性の高い材料からなり、前記保持部材の外側に装着する中ケースと、を備え、
前記筐体内の前記収納部に、前記電子部品を覆った状態の前記保持部材の外側に装着された状態の前記中ケースを収納することを特徴とする電子部品収納構造。
【請求項２】
第１筐体と第２筐体とを備え、
両筐体を折り畳んだ状態から相対的に回転させて開放させるヒンジ筐体内に前記収納部が設けられることを特徴とする請求項１に記載の電子部品収納構造。
【請求項３】
第１筐体と第２筐体とを備え、
両筐体を折り畳んだ状態から相対的に回転させて縦方向に開放させたり、横方向に開放させたりするヒンジ筐体内に前記収納部が設けられることを特徴とする請求項１に記載の電子部品収納構造。
【請求項４】
前記電子部品に接続される基板を前記中ケースに固定することを特徴とする請求項１から３のいずれか一項に記載の電子部品収納構造。
【請求項５】
前記中ケースは、複数部材からなり、その複数部材を組み合わせることで前記保持部材の外側に装着されることを特徴とする請求項１から４のいずれか一項に記載の電子部品収納構造。
【請求項６】
前記中ケースは、前記保持部材の上面に装着される上面部材も備えることを特徴とする請求項５に記載の電子部品収納構造。
【請求項７】
請求項１から６のいずれか一項に記載の電子部品収納構造を備えることを特徴とする電子機器。
【発明の詳細な説明】
【技術分野】
【０００１】
本発明は、カメラモジュールのような精密な電子部品を筐体に収納する構造と、そのような電子部品収納構造を備える電子機器に関する。
【背景技術】
【０００２】
カメラ付き携帯端末では一般に、筐体端部に設けられた収納部にカメラモジュールを収納している（例えば特許文献１参照）。
【先行技術文献】
【特許文献】
【０００３】
【特許文献１】特開２００５‐１９８２７９号公報
【発明の概要】
【発明が解決しようとする課題】
【０００４】
カメラ付き携帯端末の場合には、表示部、操作部などの配置位置の都合から、特許文献１のように、カメラモジュールを筐体端部に設けることが多いが、端部からの筐体落下などによる衝撃は大きく、破損の危険があった。特に、カメラモジュールが大型化した場合はさらに衝撃は大きくなり、破損の危険度は増す。
【０００５】
本発明の課題は、カメラモジュールのような精密な電子部品であっても衝撃に強い実装を提供することである。
【課題を解決するための手段】
【０００６】
以上の課題を解決するため、請求項１に記載の発明は、筐体内に設けられる収納部に電子部品を収納する構造であって、前記電子部品を覆って保護するための、緩衝材からなる保持部材と、この保持部材よりも剛性の高い材料からなり、前記保持部材の外側に装着する中ケースと、を備え、前記筐体内の前記収納部に、前記電子部品を覆った状態の前記保持部材の外側に装着された状態の前記中ケースを収納することを特徴とする。
【０００７】
請求項２に記載の発明は、請求項１に記載の電子部品収納構造であって、第１筐体と第２筐体とを備え、両筐体を折り畳んだ状態から相対的に回転させて開放させるヒンジ筐体内に前記収納部が設けられることを特徴とする。
【０００８】
請求項３に記載の発明は、請求項１に記載の電子部品収納構造であって、第１筐体と第２筐体とを備え、両筐体を折り畳んだ状態から相対的に回転させて縦方向に開放させたり、横方向に開放させたりするヒンジ筐体内に前記収納部が設けられることを特徴とする。
【０００９】
請求項４に記載の発明は、請求項１から３のいずれか一項に記載の電子部品収納構造であって、前記電子部品に接続される基板を前記中ケースに固定することを特徴とする。
【００１０】
請求項５に記載の発明は、請求項１から４のいずれか一項に記載の電子部品収納構造であって、前記中ケースは、複数部材からなり、その複数部材を組み合わせることで前記保持部材の外側に装着されることを特徴とする。
【００１１】
請求項６に記載の発明は、請求項５に記載の電子部品収納構造であって、前記中ケースは、前記保持部材の上面に装着される上面部材も備えることを特徴とする。
【００１２】
請求項７に記載の発明は、請求項１から６のいずれか一項に記載の電子部品収納構造を備える電子機器を特徴とする。
【発明の効果】
【００１３】
本発明によれば、カメラモジュールのような精密な電子部品であっても衝撃に強い実装とすることができる。
【図面の簡単な説明】
【００１４】
【図１】本発明を適用した携帯機器の一実施形態の構成を示すもので、携帯電話の折り畳み状態を示した斜視図である。
【図２】図１の携帯電話を縦方向に開放した状態を示した斜視図である。
【図３】図１の携帯電話を横方向に開放した状態を示した斜視図である。
【図４】図１の携帯電話のムービースタイル状態を示した斜視図である。
【図５】図１の折り畳み状態でのヒンジユニットを示した図である。
【図６】図１の折り畳み状態での配線の仕方を示した図である。
【図７】図５のヒンジユニットと図６の配線を組み合わせた拡大斜視図である。
【図８】図７のヒンジユニットの折り畳み状態に対応した斜視図である。
【図９】図１の折り畳み状態の携帯電話を他端側から見た拡大図である。
【図１０】図２の縦方向開放状態での画面とカメラの方向を示した図である。
【図１１】図１０と反対側から見た図である。
【図１２】図１０と反対側でバンパー部も示した図である。
【図１３】図８のヒンジユニットの縦方向開放状態に対応した図である。
【図１４】図３の横方向開放状態でのブックスタイルを示した図である。
【図１５】図８のヒンジユニットのブックスタイルに対応した図である。
【図１６】図４のムービースタイルでの画面とカメラの方向を示した図である。
【図１７】図１６の上方向から見た平面図である。
【図１８】図１６のムービースタイルでの反対側から見た持ち方を示した図である。
【図１９】図８のヒンジユニットのムービースタイルに対応した図である。
【図２０】本発明の電子部品収納構造の実施形態１を示すもので、図７の撮影部を構成するカメラモジュールとその保持部材及び中ケース等の分解斜視図である。
【図２１】図２０の部品の組み付け状態を拡大して示した中央部断面の斜視図である。
【図２２】図２１のカメラモジュールとその保持部材の係合関係を示す分解図である。
【図２３】図２１のカメラモジュールとその保持部材及び中ケースの他の係合関係を示す図である。
【図２４】図２１の中ケースの筐体内の収納関係を示す分解図である。
【図２５】図２４の中ケースとフレームの組み付け状態を示す断面図である。
【図２６】本発明の電子部品収納構造の実施形態２を示すもので、カメラモジュールとその保持部材及び中ケース等の分解斜視図である。
【図２７】図２６の部品の組み付け状態を示した中央部断面図である。
【図２８】本発明の電子部品収納構造の実施形態３を示すもので、カメラモジュールとその保持部材及び中ケース等の分解斜視図である。
【図２９】図２８の部品の組み付け状態を示した中央部断面図である。
【図３０】本発明の電子部品収納構造の実施形態４を示すもので、カメラモジュールとその保持部材及び中ケース等の分解斜視図である。
【図３１】図３０の部品の組み付け状態を示した中央部断面図である。
【発明を実施するための形態】
【００１５】
以下、図を参照して本発明を実施するための形態を詳細に説明する。
図１から図４は本発明を適用した携帯機器の一実施形態の構成として携帯電話を示したもので、１は第１筐体、２は第２筐体、３は第３筐体、４は操作部、５は表示部、６はアンテナ、７は撮影部、８は照明部である。
【００１６】
携帯電話は、図示のように、第１筐体１と第２筐体２と第３筐体３は後述する２軸ヒンジユニット１０を介して結合されている。第１筐体１には操作部４が設けられ、第２筐体２には表示部５及びアンテナ６が設けられ、第３筐体３にはムービー撮影用の撮影部７及び照明部８が設けられている。
【００１７】
図５及び図８は第３筐体３の内部に組み込まれる２軸ヒンジユニット１０を示したもので、１１は第１回転軸、１２は第２回転軸、１３は第３筐体３のフレーム、２１は第１取付部材、２２は第２取付部材である。
【００１８】
２軸ヒンジユニット１０は、図示のように、左右一対の第１回転軸１１と、右側の第２回転軸１２と、中央の第３筐体３のフレーム１３と、第１回転軸１１の各々に設けた左右一対の第１取付部材２１と、第２回転軸１２に設けた第２取付部材２２とから構成される。
【００１９】
すなわち、第１回転軸１１は、軸線を左右方向に向けた中空状のもので、フレーム１３の左右両側面にネジ止め固定したブラケット１４の下部に軸受部材を介して各々回転自在に一体化されている。この第１回転軸１１には、その軸線に対し直交方向に延びて第１筐体１の内部にネジ止め固定されるアーム状の第１取付部材２１が各々圧入嵌合して一体化されている。この第１取付部材２１の回転角度は、第１回転軸１１の軸受部材との係合構造により約１８０度等に制限される。なお、図示左側の第１回転軸１１は、９０度等の所定角度に対応するクリック感が得られる軸受部材１５を介してフレーム１３に組み付けられている。
【００２０】
そして、第２回転軸１２は、軸線を前後方向に向けた中空状のもので、フレーム１３の図示右側面のブラケット１４の上部に一体に形成した突出部１６に軸受部材を介して回転自在に一体化されている。この第２回転軸１２には、その軸線に対し直交方向に延びて第２筐体２の内部にネジ止め固定されるアーム状の第２取付部材２２が圧入嵌合して一体化されている。この第２取付部材２２の回転角度は、第２回転軸１２の外周に形成された溝１２ａに突出部１６に設けられた係合片１６ａが係合することで制限される。
【００２１】
図６は第１配線３１及び第２配線３２を示し、図７は２軸ヒンジユニット１０と第１配線３１及び第２配線３２を組み合わせた図である。
【００２２】
すなわち、第１配線３１は、第１筐体１内の基板に接続されるコネクタ３１ａを一端に備えて第３筐体３内の基板に接続されるコネクタ３１ｃを他端に備えるもので、図７において右側の第１回転軸１１の中空部内に通されている。
【００２３】
そして、第２配線３２は、第１筐体１内の基板に接続されるコネクタ３２ａを一端に備えて第２筐体２内の基板に接続されるコネクタ３２ｂを他端に備えるもので、図７において右側の第１回転軸１１の中空部内に通して第２回転軸１２の中空部内に通されている。
【００２４】
また、第１筐体１内の基板に接続される端子３３ａを一端に備えて第２筐体２内の基板に接続される端子３３ｂを他端に備えるアンテナ線３３も、第２配線３２と同様に、図７において右側の第１回転軸１１の中空部内に通して第２回転軸１２の中空部内に通されている。
【００２５】
図９は図１の折り畳み状態の携帯電話を他端側から見て拡大したもので、第３筐体３は下ケース３４及び上ケース３５から構成されていて、上ケース３５より幅狭の下ケース３４は第１筐体１の端部に形成した凹所１ａに位置している。この下ケース３４と第１筐体１の凹所１ａの両側に位置する突出部１ｂとの間に第１回転軸１１が貫通して、これにより、第３筐体３は第１筐体１に対し第１回転軸１１を中心に縦方向に開閉可能である。
【００２６】
また、図示のように、折り畳み状態において、上ケース３５は第２筐体２の延長上に位置している。この上ケース３５と第２筐体２との一側部の間に第２回転軸１２が貫通して、これにより、第２筐体２は第３筐体３に対し一側部の第２回転軸１２を中心に横方向に開閉可能である。
【００２７】
そして、下ケース３４の上部左右には、上ケース３５の開放部を閉じる突出部が形成されており、この突出部の下面にゴム等の柔らかい材質の緩衝材によるバンパー２３が設けられている。
【００２８】
さらに、下ケース３４の突出部と上ケース３５の側面との間に、ロック解除ボタン２４が組み付けられている。このロック解除ボタン２４のスライド操作により、第３筐体３の端面から突出する方向にバネで付勢されて、第２筐体２の端面に形成された凹部（不図示）に係合するロック爪（不図示）を後退させてロックが解除される。
【００２９】
先ず、図１及び図９は第１筐体１上に第１筐体２及び第３筐体３を重ねて折り畳んだ状態を示したもので、図８はその折り畳み状態に対応した２軸ヒンジユニット１０を示したものである。すなわち、フレーム１３から第１取付部材２１及び第２取付部材２２は同一方向に平行に向いている。
【００３０】
次に、図２及び図１０から図１２は第１筐体１に対し第２筐体２及び第３筐体３を、第１回転軸１１を中心に縦方向に開放した通常オープンスタイルを示したもので、図１０及び図１１において、矢印Ａで示す方向は撮影部７の向きを示し、矢印Ｂで示す方向は表示部５の画面の向きを示している。そして、図１３はその通常オープンスタイルに対応した２軸ヒンジユニット１０を示したものである。すなわち、フレーム１３に対し第１取付部材２１と第２取付部材２２が互いに反対方向に向いている。
【００３１】
以上の通常オープンスタイルにおいて、第１筐体１に対し第２筐体２及び第３筐体３を、第１回転軸１１を中心に縦方向に開く際に、バンパー２３は、第１筐体１の突出部１ｂの背面に当接して衝撃を緩衝する。
このように、通常オープンスタイルで緩衝するバンパー２３は、デザイン性を考慮し、折り畳み状態において第３筐体３の内側面に設けられて外観から見えない位置に配置されている。
【００３２】
次に、図３及び図１４は第１筐体１及び第３筐体３に対し第２筐体２を、第２回転軸１２を中心に横方向に開放して表示部５を横長としたブックスタイルを示したもので、図１５はそのブックスタイルに対応した２軸ヒンジユニット１０を示したものである。すなわち、折り畳み状態時におけるフレーム１３及び第１取付部材２１に対し第２取付部材２２が一側方に向いている。
【００３３】
次に、図４及び図１６から図１８は第１筐体１に対し第２筐体２及び第３筐体３を、第１回転軸１１を中心に９０度回転して表示部５を横長としたムービースタイルを示したもので、図１６及び図１７において、矢印Ａで示す方向は撮影部７の向きを示し、矢印Ｂで示す方向は表示部５の画面の向きを示している。そして、図１９はそのムービースタイルに対応した２軸ヒンジユニット１０を示したものである。すなわち、折り畳み状態時におけるフレーム１３及び第２取付部材２２に対し第１取付部材２１が直角方向に向いている。
【００３４】
そして、ムービースタイル時においては、図１６から図１８に示すように、第１筐体１の上面で第３筐体３に近い部分に設けたシャッターキー４１及びズームキー４２と、同じく第１筐体１の内側面で操作部４の上側に並んだサブメニューキー４３、画面表示切替キー４４、Ａ−ＭＡＴ（音声ズーム）ON/OFFキー４５、顔ピタON/OFFキー４６、逆光補正キー４７、ホワイトバランスキー４８及び秒撮キー４９が使用される。
【００３５】
なお、サブメニューキー４３、画面表示切替キー４４、Ａ−ＭＡＴ（音声ズーム）ON/OFFキー４５、顔ピタON/OFFキー４６、逆光補正キー４７、ホワイトバランスキー４８及び秒撮キー４９の上に沿った部分には、その旨印刷表示されている。
【００３６】
また、第１筐体１の内側面で操作部４の前後には上下方向に沿ってバンパー５１・５２が設けられている。このバンパー５１・５２は、第１筐体１に対し第２筐体２及び第３筐体３を折り畳む際の衝撃を緩衝するもので、さらに、第１筐体１を構成する下ケース及び上ケースを合体固定するネジを隠すネジ隠しも兼用する。
【００３７】
以上のムービースタイルにおいて、図１８に仮想線で示したように、親指をバンパー５１に沿わせて、ズームキー４２に人差し指を、さらにシャッターキー４１に中指をそれぞれ沿わせて右手で持つことができ、すなわち、右手で持ち易いグリップ感を具備したムービースタイルを実現できる。この場合、第３筐体３に近い側のバンパー５１の表面には、親指に対し滑り止めとして機能するシボ加工が施されている。
【００３８】
なお、第１筐体１のホワイトバランスキー４８の上方に離間した部分にマイク穴５３が設けられている。また、第２筐体２の表示部５と反対側の前面部の上部には左右一対のマイク穴５４が設けられている。
【００３９】
次に、以上のムービースタイル時において、撮像部７を有する第３筐体３に対し表示部５を有する第２筐体２を、上部の第２回転軸１２を中心に向こう側に回転すると、表示部５を下から見上げる斜め角度のハイアングルでムービー撮影時のファインダーとして見ることができる。また、第２筐体２を手前側に若干回転すると、表示部５を上から見下ろす斜め角度のローアングルでファインダーとして見ることができる。
【００４０】
そして、第２筐体２を第３筐体３に対し上部の第２回転軸１２を中心に手前側に回転すると、図１２に示すように、規制プレート１７の下端部が第１回転軸１１の端部外周のカム１９の大径部１９ｂの切り欠き部１９ｃに入り込む。これにより、第１回転軸１１の回転が規制される。
【００４１】
以上において、ブックスタイル時には、図３及び図１４に示したように、サブメニューキー４３、画面表示切替キー４４、Ａ−ＭＡＴ（音声ズーム）ON/OFFキー４５、顔ピタON/OFFキー４６、逆光補正キー４７、ホワイトバランスキー４８及び秒撮キー４９の上に沿った部分に設けられる印刷表示は第２筐体２により覆われて見辛くなっている。このため、その表示部５の下部に沿ってサブメニューキー４３、画面表示切替キー４４、Ａ−ＭＡＴ（音声ズーム）ON/OFFキー４５、顔ピタON/OFFキー４６、逆光補正キー４７、ホワイトバランスキー４８及び秒撮キー４９に対応した表示がなされる。
【００４２】
また、折り畳み状態では、図８に示したように、２軸ヒンジユニット１０のフレーム１３から第１取付部材２１及び第２取付部材２２が同一方向に平行に向いており、第１筐体１と第２筐体２に対するネジ止め部が上下に位置するため、初期の重ねた際の両筐体１・２のズレを、組立工程の最後にチューニング（あるいはリペア）しやすいように工夫がなされている。
【００４３】
（電子部品収納構造の実施形態１）
次に、図２０は本発明の電子部品収納構造の実施形態１として図７の撮影部７を構成するカメラモジュール７０とその保持部材であるカメラホルダー７３及び中ケース７４等を分解して示すものである。
【００４４】
図示のように、ムービー撮影用のカメラモジュール７０は、上面に撮影部としての撮影レンズ７と照明部としてのフラッシュライト８とタリーランプ９を備え、下面から側面に延びる２枚のＦＰＣ７１を備え、その一側面にカメラ基板７２が配置される。このカメラ基板７２に実装した２個のコネクタ７２ａに、２枚のＦＰＣ７１の先端部に設けたコネクタ７１ａがそれぞれ接続される。
【００４５】
カメラホルダー７３は、落下対策のために緩衝材としてのラバーにより、カメラモジュール７０の下面、上面の撮影レンズ７、フラッシュライト８及びタリーランプ９を除いてカメラモジュール７０の周囲を覆う形状に形成されている。図中、７３ａ・７３ｂ・７３ｃは、カメラホルダー７３上面に形成された、撮影レンズ７、フラッシュライト８及びタリーランプ９が各々露出する窓部である。
【００４６】
中ケース７４は、カメラホルダー７３の外側に装着するもので、落下対策と基板保持のために樹脂部材７５に金属部材７６をインサート成形して、カメラホルダー７３と同様に、カメラモジュール７０の下面、上面の撮影レンズ７、フラッシュライト８及びタリーランプ９を除いてカメラホルダー７３の周囲を覆う形状に形成されている。具体的には、カメラホルダー７３の周囲を覆う樹脂部材７５の上面に、撮影レンズ７、フラッシュライト８及びタリーランプ９が各々露出する窓部７６ａ・７６ｂ・７６ｃを形成した板金製の金属部材７６がインサート成形されている。
【００４７】
カメラシート７７は、中ケース７４上面の板金による金属部材７６上に接着するもので、撮影レンズ７、フラッシュライト８及びタリーランプ９に各々対応する透過窓部７７ａ・７７ｂ・７７ｃが形成されている。
【００４８】
図２１はカメラモジュール７０、カメラホルダー７３、中ケース７４及びカメラシート７７の組み付け状態を拡大して示したもので、図示のように、カメラモジュール７０に被せたカメラホルダー７３がカメラモジュール７０に係合されて、カメラホルダー７３に被せた中ケース７４の樹脂部材７５の一側面にカメラ基板７２が装着されている。すなわち、カメラ基板７２は、上端部に形成した一対の差し込み片７２ｄを、中ケース７４の金属部材７６の一端部に形成した一対の差し込み穴７６ｄにそれぞれ差し込んでから、中間部に形成した一対の係合穴７２ｂに、樹脂部材７５の一側面に形成した一対の係合突起７５ｂをそれぞれ差し込んでいる。
【００４９】
図２２はカメラモジュール７０とカメラホルダー７３の係合関係を示すもので、図示のように、カメラモジュール７０の対向する外側面に形成した凹部７０ｄに、カメラホルダー７３の対向する内側面に形成した凸部７３ｄがそれぞれ係合する。
【００５０】
図２３はカメラモジュール７０とカメラホルダー７３及び中ケース７４の他の係合関係を示すもので、図示のように、カメラモジュール７０に被せたカメラホルダー７３の対向する外側面に形成した凸部７３ｅに、カメラホルダー７３に被せた中ケース７４の樹脂部材７５の対向する内側面に形成した凹部７５ｅがそれぞれ係合している。そして、カメラモジュール７０に被せたカメラホルダー７３の対向する外側面の上端部に形成した小肉厚部７３ｆを、カメラホルダー７３に被せた中ケース７４の樹脂部材７５の対向する内側面にそれぞれ圧入している。
【００５１】
図２４は中ケース７４の第３筐体３内の収納関係を示すもので、カメラモジュール７０に被せたカメラホルダー７３にさらに被せた中ケース７４を、図示のように、第３筐体３のフレーム１３に係合して組み付ける。すなわち、中ケース７４の樹脂部材７５の長手方向に対向する起立部に形成した凸部７５ｃを、フレーム１３の長手方向に対向する側面部に形成した係合穴１３ｃにそれぞれ係合している。なお、図示例では、一方が一対の凸部７５ｃ及び係合穴１３ｃで、他方が単独の凸部７５ｃ及び係合穴１３ｃとなっている。
【００５２】
図２５は中ケース７４とフレーム１３の組み付け状態を断面で示すもので、図示のように、フレーム１３の長手方向の一側部に沿った起立片１３ｄの上に、樹脂部材７５の長手方向の一側部の上部に形成した凸部７５ｄが位置している。
【００５３】
そして、以上の組み付けにより一体化されたフレーム１３及び中ケース７４を、第３筐体３の下ケース３４内に収納して、下ケース３４に上ケース３５を係合してネジ止め固定する。すなわち、図２４に示したように、下ケース３４の長手方向の両側部上に各々形成した一対の差し込み片３４ａを、上ケース３５の長手方向の両側部下に各々形成した一対の差し込み溝３５ａにそれぞれ差し込んで、差し込み片３４ａに形成した係合穴３４ｂに、差し込み溝３５ａに形成した係合突起３５ｂをそれぞれ係合する。
【００５４】
そして、下ケース３４上の一方の差し込み片３４ａの外側に形成した結合片３４ｃを、上ケース３５の側面に当てて、図示のように、２本のネジにより結合片３４ｃを上ケース３５側面に固定する。
【００５５】
以上、実施形態の携帯電話によれば、操作部４を有する第１筐体１と表示部５を有する第２筐体２とを重ねて折り畳んだ状態から相対的に移動させて縦方向に開放させる第１回転軸１１と、同様に横方向に開放させる第２回転軸１２とを、撮影部７とともに第３筐体３に収納した筐体構造で、第１筐体１と第２筐体２を縦方向に開放させた場合は、第３筐体３が第２筐体１とともに移動し、また、横方向に開放させた場合には、第３筐体３が第１筐体１とともに移動する構成としたことで、必要に応じムービースタイルにして、表示部５の画面を横長で見ながら撮影部７でムービー撮影することができる。
【００５６】
さらに、ムービースタイル時において、撮影部７を有する第３筐体３に対し表示部５を有する第２筐体２を、中央部の第２回転軸１２を中心に回転して、ムービー撮影時のファインダーとしての表示部５を下から見上げる斜め角度のハイアングルとしたり、表示部５を上から見下ろす斜め角度のローアングルとすることもできる。
【００５７】
また、２軸ヒンジユニット１０は、第１回転軸１１及び第２回転軸１２が第３筐体３のフレーム１３に組み付けられ、第１回転軸１１に一体の第１取付部材２１が第１筐体１に組み付けられて、第２回転軸１２に一体の第２取付部材２２が第２筐体２に組み付けられる構成なので、強度的に優れている。
【００５８】
そして、第１筐体１内に一端を固定されて第３筐体３内に他端が固定される第１配線３１を第１回転軸１１の中空部内に通して、第１筐体１内に一端を固定されて第２筐体２内に他端が固定される第２配線３２を第１回転軸１１の中空部内に通して第２回転軸１２の中空部内に通すことで、３つの筐体内の配線をすることができる。
【００５９】
さらに、精密な電子部品であるカメラモジュール７０を覆って保護するための、緩衝材（実施形態ではラバー）からなるカメラホルダー７３と、このカメラホルダー７３よりも剛性の高い材料（実施形態では樹脂部材７５及び金属部材７６）からなり、カメラホルダー７３の外側に装着する中ケース７４と、を備え、２軸ヒンジユニット１０を内蔵する第３筐体３内の収納部に、カメラモジュール７０を覆った状態のカメラホルダー７３の外側に装着された状態の中ケース７４を収納する構造なので、精密な電子部品であるカメラモジュール７０であっても端部からの筐体落下などの衝撃に強い実装とすることができる。
【００６０】
（電子部品収納構造の実施形態２）
次に、図２６及び図２７は本発明の電子部品収納構造の実施形態２を示すもので、前述した実施形態１と同様、７０はカメラモジュール、７２はカメラ基板、７３はカメラホルダーであって、１７４は中ケース、１７５は樹脂部材、１７６は金属部材である。
【００６１】
実施形態２において、図示のように、中ケース１７４は、カメラモジュール７０の周囲三面を覆う樹脂部材１７５と、カメラモジュール７０周囲の残る一面を覆う板金製の金属部材１７６との組み合わせで構成される。
【００６２】
すなわち、カメラモジュール７０周囲の一面を覆う板金製の金属部材１７６の両端部に突出して形成された上下一対の結合片１７６ａを、カメラモジュール７０周囲の三面を覆う樹脂部材１７５の両端部外側面に形成された上下一対の結合溝１７５ａにそれぞれ重ねて、結合溝１７５ａに形成された係合突起１７５ｂを、結合片１７６ａに形成された係合穴１７６ｂにそれぞれ係合する。これにより、カメラモジュール７０に被せたカメラホルダー７３にさらに被せた中ケース１７４が合体される。
【００６３】
そして、金属部材１７６の外側面の左右及び下部に突出して形成された基板保持爪１７６ｃに、カメラ基板７２を挿入して保持する。このように、中ケース１７４の一側面の金属部材１７６にカメラ基板７２を組み付けて保持してもよい。
【００６４】
（電子部品収納構造の実施形態３）
また、図２８及び図２９は本発明の電子部品収納構造の実施形態３を示すもので、前述した実施形態１と同様、７０はカメラモジュール、７２はカメラ基板、７３はカメラホルダーであって、２７４は中ケース、２７５は上面部、２７６・２７７・２７８は側面部である。
【００６５】
実施形態３において、中ケース２７４は樹脂部材で、図示のように、カメラモジュール７０の上面及び周囲面を覆う上面部２７５と側面部２７６・２７７・２７８を一体成形して構成される。
【００６６】
すなわち、カメラモジュール７０の上面及び周囲面を樹脂部材による中ケース２７４の上面部２７５と側面部２７６・２７７・２７８を直角に折り込んで覆って、一方の側面部２７８の端部に突出して形成された上下一対の結合片２７８ａを、他方の側面部２７８の端部内側面に形成された上下一対の結合溝２７８ｃにそれぞれ重ねて、結合溝２７８ｃに形成された係合突起２７８ｄを、結合片２７８ａに形成された係合穴２７８ｂにそれぞれ係合する。これにより、カメラモジュール７０に被せたカメラホルダー７３にさらに中ケース２７４が被せられる。
【００６７】
なお、カメラホルダー７３の一側面にカメラ基板７２が接着して保持される。この場合、中ケース２７４の側面部２７６には、カメラ基板７２に対応した窓部２７６ａが形成されている。
【００６８】
（電子部品収納構造の実施形態４）
また、図３０及び図３１は本発明の電子部品収納構造の実施形態４を示すもので、前述した実施形態１と同様、７０はカメラモジュール、７３はカメラホルダーであって、３７４は中ケース、３７５は上面部材、３７６は側面部材である。
【００６９】
実施形態３において、中ケース３７４は、図示のように、カメラモジュール７０の上面と周囲面を覆う樹脂部材による上面部材３７５と同じく樹脂部材による一対の平面視Ｌ形をなす側面部材３７６とで構成される。
【００７０】
すなわち、カメラモジュール７０の上面を樹脂部材による上面部材３７５で覆って、カメラモジュール７０の周面を同じく樹脂部材による一対の平面視Ｌ形をなす側面部材３７６で覆って、一方の側面部材３７６の一端部に突出して形成された上下一対の結合爪３７６ａを、他方の側面部材３７６の多端部の外側面に形成された結合溝３７６ｂに係合する。
【００７１】
そして、上面部材３７５の両側部に突出して形成された結合片３７５ａを、側面部材３７６の上部外側面に形成された一対の結合溝３７６ｃにそれぞれ重ねて、結合溝３７６ｃに形成された係合突起３７６ｄを、結合片３７５ａに形成された係合穴３７５ｂにそれぞれ係合する。これにより、カメラモジュール７０に被せたカメラホルダー７３にさらに被せた中ケース３７４が合体される。
【００７２】
（変形例）
なお、以上の実施形態においては、携帯電話としたが、本発明はこれに限定されるものではなく、ＰＤＡ、ノートパソコン、ウェアラブルパソコン、電卓、電子辞書などで、ヒンジにカメラなどの電子部品を設けたもの全てに用いることができる。
また、ストレートタイプの携帯装置等であってもよい。
さらに、カメラは、筐体の端部でなく、筐体の中央にあってもよい。
また、筐体、保持部材及び中ケースの形状や材質等も任意であり、その他、具体的な細部構造等についても適宜に変更可能であることは勿論である。
【符号の説明】
【００７３】
１  第１筐体
２  第２筐体
３  第３筐体
４  操作部
５  表示部
６  アンテナ
７  撮影部
８  照明部
９  タリーランプ
１０  ２軸ヒンジユニット
１１  第１回転軸
１２  第２回転軸
１３  フレーム
１４  ブラケット
１５  軸受部材
１６  突出部
２１  第１取付部材
２２  第２取付部材
２３  緩衝材
２４  ロック解除ボタン
３１  第１配線
３２  第２配線
３３  アンテナ線
３４  下ケース
３５  上ケース
４１  シャッターキー
４２  ズームキー
４３  サブメニューキー
４４  画面表示切替キー
４５  Ａ−ＭＡＴ（音声ズーム）ON/OFFキー
４６  顔ピタON/OFFキー
４７  逆光補正キー
４８  ホワイトバランスキー
４９  秒撮キー
５１  バンパー
５２  バンパー
５３  マイク穴
５４  マイク穴
７０  カメラモジュール（電子部品）
７１  ＦＰＣ
７２  カメラ基板
７３  保持部材
７４  中ケース
７５  樹脂部材
７６  金属部材
７７  カメラシート
１７４  中ケース
１７５  樹脂部材
１７６  金属部材
２７４  中ケース
２７５  上面部
２７６・２７７・２７８  側面部
３７４  中ケース
３７５  上面部材
３７６  側面部材
【図１】
2010263521.tif 000003
【図２】
2010263521.tif 000004
【図３】
2010263521.tif 000005
【図４】
2010263521.tif 000006
【図７】
2010263521.tif 000007
【図８】
2010263521.tif 000008
【図９】
2010263521.tif 000009
【図１０】
2010263521.tif 000010
【図１１】
2010263521.tif 000011
【図１２】
2010263521.tif 000012
【図１３】
2010263521.tif 000013
【図１４】
2010263521.tif 000014
【図１５】
2010263521.tif 000015
【図１６】
2010263521.tif 000016
【図１７】
2010263521.tif 000017
【図１８】
2010263521.tif 000018
【図１９】
2010263521.tif 000019
【図２０】
2010263521.tif 000020
【図２１】
2010263521.tif 000021
【図２２】
2010263521.tif 000022
【図２３】
2010263521.tif 000023
【図２４】
2010263521.tif 000024
【図２５】
2010263521.tif 000025
【図２６】
2010263521.tif 000026
【図２７】
2010263521.tif 000027
【図２８】
2010263521.tif 000028
【図２９】
2010263521.tif 000029
【図３０】
2010263521.tif 000030
【図３１】
2010263521.tif 000031
【図５】
2010263521.tif 000032
【図６】
2010263521.tif 000033